【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
電子機器毎に互いに異なる電気的な特性を有する複数の電気部品と、
前記電気部品が有する特性を測定する特性測定部と、
前記特性測定部により測定された特性に関する情報を送信する制御部と、
を備える、
電子機器。
【請求項２】
前記制御部は自身の機器ＩＤをさらに送信する
請求項１に記載の電子機器。
【請求項３】
前記制御部は前記複数の電気部品のうち所定の前記電気部品が有する特性を前記特性測定部に測定させ、少なくとも自身への給電を管理する電力管理装置に対して前記特性測定部により測定された特性に関する情報を送信する、
請求項２に記載の電子機器。
【請求項４】
前記特性測定部により特性が測定される前記電気部品を切り替えるスイッチをさらに備える、
請求項３に記載の電子機器。
【請求項５】
前記制御部は前記スイッチを制御して所定の前記電気部品が有する特性を前記特性測定部に測定させる、
請求項４に記載の電子機器。
【請求項６】
前記電気的な特性は、前記電気部品のインピーダンス特性、又は前記電気部品に含まれる半導体素子のトランジスタ特性、又は前記電気部品に流れる電流値である、
請求項５に記載の電子機器。
【請求項７】
前記制御部は、
前記所定の電気部品が有する特性を前記電力管理装置に登録する際、前記所定の電気部品が有する特性を前記特性測定部に測定させ、前記特性測定部により測定された特性に関する情報及び自身の機器ＩＤを前記電力管理装置に送信し、
前記電力管理装置は、
前記制御部により送信された特性に関する情報及び機器ＩＤを受信し、当該機器ＩＤに対応付けて前記特性に関する情報を保持する、
請求項６に記載の電子機器。
【請求項８】
前記電子機器が給電を管理される前記電力管理装置は、
前記電子機器により送信された特性に関する情報及び機器ＩＤを受信し、
受信した機器ＩＤに対応する前記特性に関する情報を保持していない場合には、受信した機器ＩＤに当該特性に関する情報を対応付けて保持し、
受信した機器ＩＤに対応する前記特性に関する情報を保持している場合には、受信した前記特性に関する情報と、保持している前記特性に関する情報とを照合し、
前記照合により両情報が一致した場合には前記受信した機器ＩＤの電子機器に対する電力供給を許可し、
前記照合により両情報が一致しなかった場合には前記受信した機器ＩＤの電子機器に対する電力供給を禁止する、
請求項７に記載の電子機器。
【請求項９】
前記特性に関する情報を前記電力管理装置に再登録する場合、前記制御部は、前記スイッチを切り替えて前記所定の電気部品とは異なる他の電気部品が有する特性を前記特性測定部に測定させ、前記電力管理装置に対して前記特性測定部により測定された特性に関する情報及び自身の機器ＩＤを送信する、
請求項８に記載の電子機器。
【請求項１０】
前記電子機器が給電を管理される前記電力管理装置は、前記電子機器により送信された特性に関する情報及び機器ＩＤを受信した場合に、受信した機器ＩＤに対応する電子機器の製造者サーバにアクセスして、当該製造者サーバから当該電子機器に対応する前記特性に関する情報を取得し、取得した前記特性に関する情報と、受信した機器ＩＤとを対応付けて保持する、
請求項７に記載の電子機器。
【請求項１１】
電子機器毎に互いに異なる電気的な特性を有する複数の電気部品と、前記電気部品が有する特性を測定する特性測定部と、前記複数の電気部品のうち所定の前記電気部品が有する特性を前記特性測定部に測定させ、少なくとも自身への給電を管理する電力管理装置に対して前記特性測定部により測定された特性に関する情報及び自身の機器ＩＤを送信する制御部と、を含む電子機器から、前記特性に関する情報及び機器ＩＤを受信する受信部と、
前記受信部により受信された機器ＩＤに対応付けて前記特性に関する情報を保持する特性情報保持部と、
前記特性情報保持部により保持されている前記特性に関する情報を利用して前記電子機器を特定する機器特定部と、
を備える、電力管理装置。
【請求項１２】
前記電力管理装置に前記特性に関する情報を送信する前記電子機器は、前記特性測定部により特性が測定される前記電気部品を切り替えるスイッチを更に備え、
前記制御部は、前記スイッチを制御して所定の前記電気部品が有する特性を前記特性測定部に測定させる、請求項１１に記載の電力管理装置。
【請求項１３】
電子機器毎に互いに異なる電気的な特性を有する複数の電気部品と、前記電気部品が有する特性を測定する特性測定部と、を有する電子機器が、前記複数の電気部品のうち所定の前記電気部品が有する特性を前記特性測定部に測定させ、少なくとも自身への給電を管理する電力管理装置に対して前記特性測定部により測定された特性に関する情報及び自身の機器ＩＤを送信する制御ステップと、
前記電力管理装置が、
前記電子機器により送信された前記特性に関する情報及び機器ＩＤを受信する受信ステップと、
前記受信ステップにて受信された機器ＩＤに対応付けて前記特性に関する情報を保持する特性情報保持ステップと、
前記特性情報保持ステップにて保持されている前記特性に関する情報を利用して前記電子機器を特定する機器特定ステップと、
を含む、
機器特定方法。
【請求項１４】
前記電子機器は、前記特性測定部により特性が測定される電気部品を切り替えるスイッチを備え、
前記制御ステップにおいて、前記スイッチを制御して所定の前記電気部品が有する特性を前記特性測定部に測定させる、請求項１３に記載の機器特定方法。
【請求項１５】
電子機器毎に互いに異なる電気的な特性を有する複数の電気部品と、前記電気部品が有する特性を測定する特性測定部と、複数の前記電気部品のうち所定の前記電気部品が有する特性を前記特性測定部に測定させ、少なくとも自身への給電を管理する電力管理装置に対して前記特性測定部により測定された特性に関する情報及び自身の機器ＩＤを送信する制御部と、を含む電子機器に対して電力を供給する蓄電装置であって、
前記電力管理装置は前記特性に関する情報及び前記機器ＩＤを受信する受信部と、前記受信部により受信された前記機器ＩＤに対応付けて前記特性に関する情報を保持する特性情報保持部と、前記特性情報保持部により保持されている前記特性に関する情報を利用して前記電子機器を特定する機器特定部と、を備え、前記電子機器により送信された特性に関する情報及び機器ＩＤを受信し、受信した機器ＩＤに対応する前記特性に関する情報を保持していない場合には、受信した機器ＩＤに当該特性に関する情報を対応付けて保持し、受信した機器ＩＤに対応する前記特性に関する情報を保持している場合には、受信した前記特性に関する情報と、保持している前記特性に関する情報とを照合し、照合により両情報が一致した場合には前記受信した機器ＩＤの電子機器に対する電力供給を許可し、照合により両情報が一致しなかった場合には前記受信した機器ＩＤの電子機器に対する電力供給を禁止し、
前記電力管理装置が前記電子機器への電力供給を許可したとき、前記電子機器へ電力を供給し、前記電力管理装置が前記電子機器への電力供給を禁止したとき、前記電子機器へ電力を供給しない蓄電装置。
【請求項１６】
前記蓄電装置が電力を供給する前記電子機器は、前記特性測定部により特性が測定される電気部品を切り替えるスイッチをさらに備え、前記制御部は前記スイッチを制御して所定の電気部品が有する特性を前記特性測定部に測定させる、
請求項１５に記載の蓄電装置。
【請求項１７】
前記電力管理装置から充放電制御信号を受信する受信部を更に有する、請求項１５に記載の蓄電装置。
【請求項１８】
前記電力管理装置に蓄電量や放電電圧等の状態情報を送信する送信部を更に有する、請求項１５に記載の蓄電装置。
【請求項１９】
前記蓄電装置は、電動移動体に搭載されている、
請求項１５に記載の蓄電装置。
【手続補正２】
【補正対象書類名】明細書
【補正対象項目名】発明の名称
【補正方法】変更
【補正の内容】
【発明の名称】電子機器、電力管理装置、機器特定方法、及び蓄電装置
【手続補正３】
【補正対象書類名】明細書
【補正対象項目名】０００１
【補正方法】変更
【補正の内容】
【０００１】
本発明は、電子機器、電力管理装置、機器特定方法、及び蓄電装置に関する。
【手続補正４】
【補正対象書類名】明細書
【補正対象項目名】０００９
【補正方法】変更
【補正の内容】
【０００９】
しかしながら、電子機器全体の消費電流に関する特徴量を照合するだけでは、必ずしも十分な安全性を確保することは難しい。また、上記文献に記載の特徴量は、個々の電子機器を確実に特徴付ける特徴量として十分ではない。そのため、十分な安全性を確保するには、より確実に個々の電子機器を特徴付ける特異な特徴量が利用されるべきである。そこで、本発明は、上記問題に鑑みてなされたものであり、本発明の目的とするところは、より確実に個々の電子機器を特徴付けることが可能な特徴量を利用して、より確実に不正改造された電子機器を検出することが可能な、新規かつ改良された電子機器、電力管理装置、機器特定方法、及び蓄電装置を提供することにある。